(57)【要約】【課題】ビーム光の射出口からハウジング内にトナーや塵埃等が入り込み難くするとともに、ハウジング内の温度上昇を十分に抑制することができる画像形成装置を提供する。【解決手段】画像形成装置１は、主走査方向Ｍに貫通して延びる通風路４１ｃが形成され、副走査方向Ｓに摺動するシャッター部材４１と、装置本体１ａ内を開放または閉鎖するカバー部材４５と、カバー部材４５の回動動作にともなってシャッター部材４１を開閉可能に移動させる作動機構と、を備える。シャッター部材４１は、カバー部材４５が装置本体１ａ内を開放する方向に移動したとき、作動機構によって射出口３１ａを閉じる方向に移動し、カバー部材４５が装置本体１ａ内を閉鎖する方向に移動したとき、作動機構によって射出口３１ａを開く方向に移動し、シャッター部材４１の開方向への移動にともなって、通風路４１ｃは装置本体１ａに設けたダクト４７の通風開口４７ａに対向する。【選択図】図８
2013072924.tif 000002
【特許請求の範囲】
【請求項１】
光源部からのビーム光を回転多面鏡により像担持体上に露光走査し前記像担持体上に形成した潜像を可視化して画像を得る画像形成装置であって、
前記光源部及び回転多面鏡を備えるとともに前記像担持体に向けてビーム光を射出する射出口を有するハウジングと、
前記回転多面鏡によって走査される主走査方向に貫通して延びる通風路が形成され、前記射出口を開閉するために前記ハウジングの外面を主走査方向に対して直交する副走査方向に摺動するシャッター部材と、
装置本体内を開放または閉鎖可能に設けられるカバー部材と、
該カバー部材の開放または閉鎖動作にともなって前記射出口を開く位置と閉じる位置とに前記シャッター部材を移動させる作動機構と、を備え、
前記シャッター部材は、前記カバー部材を開放したとき、前記作動機構によって閉じる置に移動し、前記カバー部材を閉鎖したとき、前記作動機構によって開く位置に移動し、前記シャッター部材が開く位置にあるとき、前記通風路は装置本体に設けたダクトの通風開口に対向することを特徴とする画像形成装置。
【請求項２】
前記作動機構は、前記ハウジングと前記シャッター部材との間に配設され前記シャッター部材を閉じる方向に付勢するバネ部材と、前記カバー部材に形成され前記カバー部材の閉鎖動作によって前記シャッター部材を開く方向に押す係合部と、を有することを特徴とする請求項１に記載の画像形成装置。
【請求項３】
前記シャッター部材は、前記射出口に対面可能であって前記ハウジングの外面に沿って摺動する摺動面を有し、前記通風路は前記摺動面の反対側を開放した断面コ字状の長溝にて形成されることを特徴とする請求項１または請求項２に記載の画像形成装置。
【請求項４】
光源部からのビーム光を回転多面鏡により像担持体上に露光走査する光走査装置であって、
前記光源部及び回転多面鏡を備えるとともに前記像担持体に向けてビーム光を射出する射出口を有するハウジングと、
前記回転多面鏡によって走査される主走査方向に貫通して延びる通風路が形成され、前記射出口を開閉するために前記ハウジングの外面を主走査方向に対して直交する副走査方向に摺動するシャッター部材と、
画像形成装置の装置本体内を開放または閉鎖可能に設けられるカバー部材の開放または閉鎖動作にともなって前記射出口を開く位置と閉じる位置とに前記シャッター部材を移動させる作動機構と、を備え、
前記シャッター部材は、前記カバー部材を開放したとき、前記作動機構によって閉じる置に移動し、前記カバー部材を閉鎖したとき、前記作動機構によって開く位置に移動し、前記シャッター部材が開く位置にあるとき、前記通風路は装置本体に設けたダクトの通風開口に対向することを特徴とする光走査装置。
【発明の詳細な説明】
【技術分野】
【０００１】
本発明は、複写機、プリンター、ファクシミリ、それらの複合機等の画像形成装置及び画像形成装置に用いられる光走査装置に関し、特に、像担持体の表面を露光走査して像担持体上に潜像を形成する画像形成装置に関するものである。
【背景技術】
【０００２】
従来、画像形成装置は、光走査装置によって像担持体の表面を露光走査し、像担持体上に潜像を形成している。この光走査装置は塵や埃などの粉塵に対して非常に敏感であり、光走査装置のユニット内部のレンズやミラー等の光学部材に粉塵が付着してしまうと、その粉塵によってビーム光が遮られて光量が減少し、スジや濃度むら等の画像不良を引き起こしてしまう。そのような粉塵がユニットの内部に侵入しないように、光走査装置はユニットの密閉度を高めている。しかし、像担持体上に潜像を形成するために、像担持体にビーム光を射出する開口がユニットには必要であり、その開口からユニット内部に粉塵が侵入するおそれがある。
【０００３】
そこで従来から、光ビームを射出する開口からユニット内部に粉塵が侵入することを防止する技術が知られている。例えば、特許文献１の画像形成装置では、像担持体に潜像を形成するためのビーム光を射出する射出口の近傍にシャッター部材を配設している。シャッター部材は作動機構によって射出口を開閉可能に移動させられ、像担持体に潜像を形成する等の画像形成時には射出口を開けている。作動機構は装置本体内を開閉するカバー部材に連動し、装置本体内に配置された像担持体等の取り換えやメンテナンスを行う際にカバー部材を開放するように操作すると、作動機構によってシャッター部材が射出口を閉じることになる。これによって、カバー部材の開放時には射出口から光走査装置内にトナーや塵埃等を入り込み難くしている。
【先行技術文献】
【特許文献】
【０００４】
【特許文献１】特開２００５−８８４１２号公報（段落［００２６］〜［００３０］、第４図）
【発明の概要】
【発明が解決しようとする課題】
【０００５】
通常、像担持体上でビーム光を露光走査するために、ビーム光を偏向する際、ポリゴンミラー等の回転多面鏡は高速回転し、回転多面鏡を回転駆動するモーターの軸受部が発熱する。また、モーターを駆動制御するための駆動回路等の回路基板上の電子制御部品も発熱する。これらモーター軸受部や電子制御部品で発生した熱が光走査装置内にこもってしまい、ハウジング内が高温になる。光走査装置内が高温となると、レンズやミラー等の光学部材が熱変形してしまうおそれがあり、光学部材の熱変形によって、潜像担持体の表面に良好に潜像を形成することができなくなるおそれがある。
【０００６】
本発明は、上記のような課題を解決するためになされたものであり、ビーム光の射出口から光走査装置のハウジング内にトナーや塵埃等が入り込み難くするとともに、ハウジング内の温度上昇を十分に抑制することができる画像形成装置及び画像形成装置に用いられる光走査装置を提供することを目的とする。
【課題を解決するための手段】
【０００７】
上記目的を達成するために第１の発明は、光源部からのビーム光を回転多面鏡により像担持体上に露光走査し前記像担持体上に形成した潜像を可視化して画像を得る画像形成装置であって、前記光源部及び回転多面鏡を備えるとともに前記像担持体に向けてビーム光を射出する射出口を有するハウジングと、前記回転多面鏡によって走査される主走査方向に貫通して延びる通風路が形成され、前記射出口を開閉するために前記ハウジングの外面を主走査方向に対して直交する副走査方向に摺動するシャッター部材と、装置本体内を開放または閉鎖可能に設けられるカバー部材と、該カバー部材の開放または閉鎖動作にともなって前記射出口を開く位置と閉じる位置とに前記シャッター部材を移動させる作動機構と、を備え、前記シャッター部材は、前記カバー部材を開放したとき、前記作動機構によって閉じる置に移動し、前記カバー部材を閉鎖したとき、前記作動機構によって開く位置に移動し、前記シャッター部材が開く位置にあるとき、前記通風路は装置本体に設けたダクトの通風開口に対向することを特徴としている。
【０００８】
また、第２の発明では、上記の画像形成装置において、前記作動機構は、前記ハウジングと前記シャッター部材との間に配設され前記シャッター部材を閉じる方向に付勢するバネ部材と、前記カバー部材に形成され前記カバー部材の閉鎖動作によって前記シャッター部材を開く方向に押す係合部と、を有することを特徴としている。
【０００９】
また、第３の発明では、上記の画像形成装置において、前記シャッター部材は、前記射出口に対面可能であって前記ハウジングの外面に沿って摺動する摺動面を有し、前記通風路は前記摺動面の反対側を開放した断面コ字状の長溝にて形成されることを特徴としている。
【００１０】
また、上記目的を達成するために第４の発明は、光源部からのビーム光を回転多面鏡により像担持体上に露光走査する光走査装置であって、前記光源部及び回転多面鏡を備えるとともに前記像担持体に向けてビーム光を射出する射出口を有するハウジングと、前記回転多面鏡によって走査される主走査方向に貫通して延びる通風路が形成され、前記射出口を開閉するために前記ハウジングの外面を主走査方向に対して直交する副走査方向に摺動するシャッター部材と、画像形成装置の装置本体内を開放または閉鎖可能に設けられるカバー部材の開放または閉鎖動作にともなって前記射出口を開く位置と閉じる位置とに前記シャッター部材を移動させる作動機構と、を備え、前記シャッター部材は、前記カバー部材を開放したとき、前記作動機構によって閉じる置に移動し、前記カバー部材を閉鎖したとき、前記作動機構によって開く位置に移動し、前記シャッター部材が開く位置にあるとき、前記通風路は装置本体に設けたダクトの通風開口に対向することを特徴としている。
【発明の効果】
【００１１】
第１及び第４の発明によれば、カバー部材を開放したとき、シャッター部材が作動機構によって射出口を閉じる方向に移動し、射出口は閉じられる。これによって、例えばトナーコンテナの交換や用紙のジャム処理時にカバー部材を開放しても、トナーや塵埃等が射出口からハウジング内に入り込むことがない。一方、カバー部材を閉鎖したとき、シャッター部材が作動機構によって射出口を開く方向に移動し、射出口は開く。これによって、射出口から像担持体に向けてビーム光が射出可能となる。そして、シャッター部材が開く位置にあるとき、通風路が装置本体に設けたダクトの通風開口に対向し、例えば送風ファンの冷風がダクトの通風開口からシャッター部材の通風路に送られる。像担持体上に潜像を形成するために、回転多面鏡が高速回転して回転多面鏡を回転駆動するモーターの軸受部が発熱し、また、駆動回路等の回路基板上の電子制御部品が発熱するが、シャッター部材の通風路に送られる冷風よって、シャッター部材を介してハウジングが冷却され、ハウジング内の温度上昇が十分に抑制される。
【図面の簡単な説明】
【００１２】
【図１】本発明の実施形態である画像形成装置の概略構成を示す断面図
【図２】実施形態である画像形成装置に用いられる光走査装置を示す斜視図
【図３】実施形態である光走査装置の底面部を示す斜視図
【図４】実施形態である光走査装置に用いられるシャッター部材を示す斜視図
【図５】実施形態であるシャッター部材とカバー部材の配置構成を示す斜視図
【図６】実施形態であるカバー部材がシャッター部材を開く側に押している状態を示す斜視図
【図７】実施形態であるシャッター部材によって射出口を閉じた状態の底面部を示す平面図
【図８】実施形態であるシャッター部材によって射出口を開いた状態の底面部を示す平面図
【発明を実施するための形態】
【００１３】
以下に本発明の実施形態について図面を参照して説明するが、本発明は、この実施形態に限定されない。また発明の用途やここで示す用語等はこれに限定されるものではない。
【００１４】
図１は、本発明の実施形態である画像形成装置の全体構成を示す概略構成図であり、右側を画像形成装置の前方側として図示している。画像形成装置１の装置本体１ａの下部には、積載された用紙を収容する給紙カセット２が配置されている。この給紙カセット２の上方には、装置本体１ａの前方から後方へ略水平に延び、更に上方へ延びて装置本体１ａの上面に形成された排紙部３に至る用紙搬送路４が形成されている。この用紙搬送路４に沿って上流側から順に、ピックアップローラ５、フィードローラ６、中間搬送ローラ７、レジストローラ対８、画像形成部９、定着部１０及び排出ローラ対１１が配置されている。
【００１５】
給紙カセット２には、給紙カセット２に対して回動自在に支持された用紙積載板１２が設けられている。用紙積載板１２上に積載された用紙がピックアップローラ５によって用紙搬送路４に向けて送出され、ピックアップローラ５によって複数枚の用紙が同時に送出された場合には、フィードローラ６とリタードローラ１３とによって用紙が捌かれ、最上位の１枚のみが搬送されるように構成されている。用紙搬送路４に送出された用紙は、中間搬送ローラ７によって装置本体１ａの後方へと搬送方向を変えられてレジストローラ対８へと搬送され、レジストローラ対８によってタイミングを調整されて画像形成部９へと供給される。
【００１６】
画像形成部９は、電子写真プロセスによって用紙に所定のトナー像を形成するものであり、図１において時計回りに回転可能に軸支された像担持体である感光体１４と、この感光体１４の周囲に配置される帯電装置１５、現像装置１６、クリーニング装置１７、用紙搬送路４を挟んで感光体１４に対向するように配置される転写ローラ１８及び感光体１４の上方に配置される光走査装置１９から構成されており、現像装置１６の上方には、現像装置１６へトナーを補給するトナーコンテナ２０が配置されている。
【００１７】
帯電装置１５には、図示しない電源が接続された導電性ゴムローラ１５ａが備えられており、この導電性ゴムローラ１５ａが感光体１４に当接するよう配置されている。そして、感光体１４が回転すると、導電性ゴムローラ１５ａが感光体１４の表面に接触して従動回転し、この時、導電性ゴムローラ１５ａに所定の電圧を印加することにより、感光体１４の表面が一様に帯電させられることになる。
【００１８】
次いで、光走査装置１９から射出されるビーム光により感光体１４上に入力された画像データに基づく静電潜像が形成され、現像装置１６により静電潜像にトナーが付着して感光体１４の表面にトナー像が形成される。そして、レジストローラ対８から感光体１４と転写ローラ１８とのニップ部（転写位置）に用紙が所定のタイミングで供給され、転写ローラ１８により用紙上に感光体１４の表面のトナー像が転写される。
【００１９】
トナー像が転写された用紙は、感光体１４から分離されて定着部１０に向けて搬送される。この定着部１０は、画像形成部９の用紙搬送方向の下流側に配置されており、画像形成部９においてトナー像が転写された用紙は、定着部１０に備えられた加熱ローラ２１、及びこの加熱ローラ２１に圧接される加圧ローラ２２によって加熱、加圧され、用紙に転写されたトナー像が定着される。
【００２０】
画像形成された用紙は、排出ローラ対１１によって排紙部３に排出される。一方、転写後に感光体１４の表面に残留しているトナーはクリーニング装置１７により除去され、感光体１４は帯電装置１５によって再び帯電され、以下同様にして画像形成が行われる。
【００２１】
図２は、画像形成装置１に用いられる光走査装置１９を示す斜視図である。尚、図２では、光走査装置１９内部の構成を示すためにハウジングの上蓋を取り除いている。
【００２２】
光走査装置１９は、光源部３３と、回転多面鏡であるポリゴンミラー３４と、走査光学系３５と、折り返しミラー３６と、さらに検知センサー３８とを備える。
【００２３】
光源部３３は、レーザー光を出力するレーザーダイオード等の光源と、レーザー光のビーム径を整形するシリンドリカルレンズやコリメートレンズ等を有し、図示しないパソコン等から入力される画像データに基づいて変調されたビーム光を射出する。
【００２４】
ポリゴンミラー３４は、ポリゴンモーター３９によって所定の速度で回転しており、光源部３３から射出されたビーム光を主走査方向Ｍに走査するように偏向させる。ポリゴンモーター３９は回路基板４０によって駆動制御される。
【００２５】
走査光学系３５は、複数のレンズから構成され、ポリゴンミラー３４で反射したビーム光が主走査方向Ｍに一定の速度で走査されるように変換するとともに、被走査面にビーム光を結像させる。折り返しミラー３６は、走査光学系３５から射出したビーム光を走査光学系３５の下側に向けて反射させ感光体１４（図１参照）に導く。
【００２６】
検知センサー３８は、主走査方向Ｍの露光範囲を制御するための信号を出力するものであり、露光範囲外に配置された検知ミラー３７を介して走査光学系３５を通過したビーム光を受光する。
【００２７】
上記の構成において、光源部３３は画像データに基づいて変調されたビーム光をポリゴンミラー３４に向けて射出する。ポリゴンミラー３４は光源部３３から射出したビーム光を反射させ、その回転によって反射光を偏向走査する。走査光学系３５はポリゴンミラー３４で反射したビーム光を等速走査に変換し、折り返しミラー３６を介して被走査面である感光体１４（図１参照）上に結像させる。これによって、光走査装置１９が感光体１４上の主走査方向Ｍの所定の範囲を露光走査し、感光体１４上に静電潜像が形成される。
【００２８】
光源部３３、ポリゴンミラー３４、走査光学系３５、折り返しミラー３６等は、ハウジング３１内に配設される。
【００２９】
ハウジング３１は、熱伝導性が良好である樹脂にて成形され、平板状の底壁部３１ｄと、底壁部３１ｄの周縁から立ち上がる側壁部３１ｅと、側壁部３１ｅの上縁に取り付けられる平板状の上蓋（図略）とを有する。底壁部３１ｄと側壁部３１ｅ及び上蓋によって形成される空間内には、光源部３３、ポリゴンミラー３４、走査光学系３５、折り返しミラー３６等が収容される。
【００３０】
走査光学系３５と検知ミラー３７及び検知センサー３８は底壁部３１ｄの所定位置に固定されている。ポリゴンミラー３４は、ポリゴンモーター３９の回転軸に一体に取り付けられ、ポリゴンモーター３９は回路基板４０を介在させて底壁部３１ｄに固定される。回路基板４０は、ポリゴンモーター３９の回転駆動を制御するドライバーＩＣ等を搭載し、底壁部３１ｄに固定される。ポリゴンモーター３９が長時間高速で回転すると、ポリゴンモーター３９の回転軸と軸受が発熱し、また回路基板４０のドライバーＩＣ等から発熱し、ハウジング３１内が昇温する。尚、回路基板４０は、底壁部３１ｄの他の部分に配設してもよく、また上蓋等のハウジング３１の上部に配設してもよい。
【００３１】
折り返しミラー３６は、走査光学系３５から射出したビーム光を感光体１４（図１参照）に向けて反射させるために、底壁部３１ｄに対して所定の角度だけ傾斜して底壁部３１ｄに固定される。折り返しミラー３６からのビーム光をハウジング３１内から感光体１４へ射出するために、底壁部３１ｄには射出口３１ａが形成される。射出口３１ａは、折り返しミラー３６の近傍にて形成され、横長である折り返しミラー３６と略同じ長さで主走査方向Ｍに延びる開口からなる。
【００３２】
射出口３１ａは図３〜図６に示すシャッター部材４１によって開閉する。図３はシャッター部材４１を有する光走査装置１９の底面部を示す斜視図であり、図４はシャッター部材４１を示す斜視図であり、図５はシャッター部材４１とカバー部材４５の配置構成を示す斜視図である。図６は、カバー部材４５がシャッター部材４１を開く側に押している状態を示す、図５におけるカバー部材４５とシャッター部材４１との当接部の部分拡大図である。尚、図５は、カバー部材４５によって装置本体１ａ内を閉鎖した状態の要部を示すものである。
【００３３】
図３に示すように、シャッター部材４１は、射出口３１ａを開閉するために、主走査方向Ｍに直交する副走査方向Ｓに移動可能に配設される。シャッター部材４１が図３の状態に配置されるとき、射出口３１ａは開き、射出口３１ａから感光体１４に向けてビーム光が射出可能となる。一方、シャッター部材４１が副走査方向Ｓ（図３の左方向）に移動したとき、射出口３１ａはシャッター部材４１によって閉じられ、トナーや塵埃等が射出口３１ａからハウジング３１内に入り込むことがない。
【００３４】
シャッター部材４１は、射出口３１ａを閉じるために射出口３１ａよりも主走査方向Ｍに長く、また幅を広くした横長に構成され、バネ部材４３を支持するバネ受け部４１ａと、後述するカバー部材４５（図５参照）に係合する一対の凸部４１ｂと、主走査方向Ｍに冷風を通す通風路４１ｃと、ハウジング３１の外面３１ｂに沿って摺動する摺動面４１ｄ（図４参照）とを有する。また、シャッター部材４１は、熱伝導性が良好である樹脂にて上記の形状を有して成形される。
【００３５】
バネ受け部４１ａはシャッター部材４１の長手方向の略中央部に形成され、ハウジング３１に形成したバネ保持部３１ｃとともにバネ部材４３を支持する。コイルスプリングからなるバネ部材４３はシャッター部材４１を閉方向（図３における副走査方向Ｓの左方向）に付勢する。シャッター部材４１がバネ部材４３によって付勢されることで、シャッター部材４１の摺動面４１ｄ（図４参照）がハウジング３１の外面３１ｂに沿って摺動し、シャッター部材４１が射出口３１ａを閉じることになる。
【００３６】
図５に示すように、光走査装置１９は装置本体１ａの排紙部３の下方に隣接して配設され、また、排紙部３の前方側にはカバー部材４５が配設される。カバー部材４５は、装置本体１ａの上面に回動可能に設けられる。カバー部材４５を排紙部３近傍の中心として図５の反時計回りに回動させると、装置本体１ａ内は開放され、一方、カバー部材４５を時計回りに回動させると、装置本体１ａ内は閉鎖される。装置本体１ａ内を開放したとき、トナーコンテナ２０や感光体１４（図１参照）の交換、或いは画像形成部９（図１参照）における用紙のジャム処理等が可能となる。このとき、カバー部材４５の開放動作にともなって、シャッター部材４１が後述する作動機構によって射出口３１ａを閉じられることで、トナーコンテナ２０の交換やジャム処理等よって浮遊するトナーや塵埃等が射出口３１ａからハウジング３１内に入り込むことがない。一方、装置本体１ａ内を閉鎖したとき、カバー部材４５の動作にともなって、シャッター部材４１が作動機構によって射出口３１ａを開かれ、射出口３１ａから感光体１４に向けてビーム光が射出可能となる。
【００３７】
カバー部材４５の内面側には、係合部である一対の突起部４５ａが形成されている。各突起部４５ａは、カバー部材４５からＬ形状に下側に延びて設けられ、シャッター部材４１の長手方向の端部側に対向して配置される。この突起部４５ａと、前述のバネ部材４３（図３参照）が作動機構を構成する。
【００３８】
図６に示すように、カバー部材４５の突起部４５ａは、シャッター部材４１に形成した凸部４１ｂに当接可能に構成される。凸部４１ｂは、シャッター部材４１のバネ受け部４１ａ（図４参照）を形成した面に対して反対側の面にて長手方向の端部に突出して形成され、バネ部材４３の付勢力によって、突起部４５ａに当接する方向に押圧されている。
【００３９】
カバー部材４５が装置本体１ａ内を閉鎖した状態にあるとき、カバー部材４５の突起部４５ａがシャッター部材４１の凸部４１ｂに当接し、シャッター部材４１は射出口３１ａを開いている。この状態において、装置本体１ａ内を開放するためにカバー部材４５を図６の右側（図５の反時計回り方向）に回動させたとき、突起部４５ａがシャッター部材４１の凸部４１ｂから離間し、シャッター部材４１はバネ部材４３（図３参照）の付勢力によって図６の右側に移動させられ射出口３１ａを閉じる。一方、装置本体１ａ内を閉鎖するためにカバー部材４５を図６の左側（図５の時計回り方向）へ戻したとき、突起部４５ａがシャッター部材４１の凸部４１ｂに当接し、カバー部材４５の回動動作にともなって、シャッター部材４１はバネ部材４３（図３参照）の付勢力に抗して図６の状態へ押されて射出口３１ａを開く。
【００４０】
尚、上記実施形態では、作動機構は、シャッター部材４１を閉方向に付勢するバネ部材４３と、シャッター部材４１を開く方向に押す突起部４５ａとを含む構成を示したが、本発明はこれに限らず、作動機構は、シャッター部材４１を開方向に付勢するバネ部材４３と、シャッター部材４１を閉じる方向に押す突起部４５ａとを含むように構成してもよい。また、突起部４５ａ（係合部）は、Ｌ字形状の構成に限らず、カバー部材４５の回動動作またはスライド動作等の操作方向や構成、或いはカバー部材４５とシャッター部材４１との配置関係等に応じて、適宜所定の形状に構成される。
【００４１】
図７、図８は、シャッター部材４１とダクト４７との配置構成を示す平面図である。図７は、シャッター部材４１を閉じた状態の光走査装置１９の底面部を示し、図８は、シャッター部材４１を開いた状態の光走査装置１９の底面部を示す。尚、図７、図８ではカバー部材４５を省略している。
【００４２】
図７に示すように、光走査装置１９のＭ方向（主走査方向）の両端には、一対のダクト４７が配設される。ダクト４７は、冷気を光走査装置１９に導き、光走査装置１９を通過した空気を排気する導管である。各ダクト４７は、光走査装置１９の一端に対向する通風開口４７ａを有する。一方の通風開口４７ａは光走査装置１９の一方端に対向し、他方の通風開口４７ａは光走査装置１９の他方端に対向し、各通風開口４７ａは光走査装置１９を介して互いにＭ方向に対向して配置される。一方のダクト４７の通風開口４７ａの反対側端には、図示しない送風ファンが配設され、送風ファンの冷気をダクト４７内に通し通風開口４７ａから光走査装置１９に送ることが可能となる。
【００４３】
シャッター部材４１には、Ｍ方向に延びる通風路４１ｃが形成される。通風路４１ｃは、摺動面４１ｄ（図４参照）の反対側を開放した断面コ字状の長溝にてＭ方向に貫通して形成される。通風路４１ｃを長溝で構成することで、シャッター部材４１を簡単に成形することができる。尚、長溝状の通風路４１ｃに替えて、シャッター部材４１内をＭ方向に貫通する孔状の通風路４１ｃを設けてもよい。
【００４４】
カバー部材４５（図５参照）を開いているとき、作動機構（バネ部材４３）によってシャッター部材４１が射出口３１ａを閉じた位置に保持され、光走査装置１９内にトナーや塵埃等が入り込むことなく、トナーコンテナ２０（図１参照）の交換、或いは用紙のジャム処理等が可能である。トナーコンテナの交換やジャム処理を完了し、カバー部材４５を閉鎖すると、作動機構（突起部４５ａ）によってシャッター部材４１が射出口３１ａを開く位置に移動する（図８参照）。
【００４５】
図８に示すように、シャッター部材４１が射出口３１ａを開ける位置にあるとき、通通路４１ｃの両端部は各ダクト４７の通風開口４７ａに対向するように配置される。従って、送風ファンの冷気が一方のダクト４７内に通って通風開口４７ａから通風路４１ｃに送られる。通風路４１ｃ内を通った空気は他方の通風開口４７ａからダクト４７内に送られ、他方のダクト４７から装置本体１ａの外部に排気される。
【００４６】
ここで、画像形成を行うために回路基板４０のドライバーＩＣ等が作動し、またポリゴンモーター３９が回転駆動しているとき、ダクト４７から通風路４１ｃに送られた冷気が、シャッター部材４１を介してハウジング３１の外面３１ｂを冷却する。一方、ポリゴンモーター３９の軸受部や回路基板４０の保持部等の高温部分から発せられる熱は底壁部３１ｄを介して外面３１ｂに伝導し、通風路４１ｃを通過する冷気によって冷却される。これによってハウジング３１内の温度上昇が十分に抑制される。
【産業上の利用可能性】
【００４７】
本発明は、複写機、プリンター、ファクシミリ、それらの複合機等の画像形成装置及び画像形成装置に用いられる光走査装置に利用することができ、特に、像担持体の表面を露光走査して像担持体上に潜像を形成する画像形成装置に利用することができる。
【符号の説明】
【００４８】
１    画像形成装置
１ａ    装置本体
１４    感光体（像担持体）
１９    光走査装置
３１    ハウジング
３１ａ    射出口
３１ｂ    外面
３１ｃ    バネ保持部
３１ｄ    底壁部
３１ｅ    側壁部
３３    光源部
３４    ポリゴンミラー（回転多面鏡）
３５    走査光学系
３６    折返しミラー
３７    検知ミラー
３８    検知センサー
３９    ポリゴンモーター
４０    回路基板
４１    シャッター部材
４１ａ    バネ受け部
４１ｂ    凸部
４１ｃ    通風路
４１ｄ    摺動面
４３    バネ部材（作動機構）
４５    カバー部材
４５ａ    突起部（係合部、作動機構）
４７    ダクト
４７ａ    通風開口
Ｍ    主走査方向
Ｓ    副走査方向
【図１】
2013072924.tif 000003
【図２】
2013072924.tif 000004
【図３】
2013072924.tif 000005
【図４】
2013072924.tif 000006
【図５】
2013072924.tif 000007
【図６】
2013072924.tif 000008
【図７】
2013072924.tif 000009
【図８】
2013072924.tif 000010